(57)【要約】【課題】パームステアリン油とＣ重油との混合比を迅速に測定する燃料監視装置、ボイラ設備、燃料油の混合比判定方法を提供する。【解決手段】本実施例に係る燃料監視装置１０Ａは、Ｃ重油にパームステアリン油を添加してなる混合油１１の一部を抜き出す混合油抜出し通路１２と、抜出した混合油を測定のサンプル用に調整する混合油調整装置１３と、該混合油調整装置１３で調整された混合油１１中の前記パームステアリン油と前記Ｃ重油との混合比を測定する混合油抜出し通路１２に介装された燃料混合比測定装置１４と、燃料混合比測定装置１４に混合油１１を連続的に供給する混合油抜出しポンプ１５とを有する。抜出した混合油１１を混合油抜出し通路１２を介して燃料混合比測定装置１４に混合油１１を連続的に供給することで、混合油１１中のパームステアリン油とＣ重油との混合比を連続的に測定することができる。【選択図】図１
2009198124.tif 000002
【特許請求の範囲】
【請求項１】
重油系燃料に添加燃料を添加してなる混合油の一部を抜き出す混合油抜出し通路と、
抜出した混合油を測定用に調整する混合油調整装置と、
該混合油調整装置で調整された混合油中の前記添加燃料と前記重油系燃料との混合比を測定する前記混合油抜出し通路に介装された燃料混合比測定装置と、
前記燃料混合比測定装置に前記混合油を連続的に供給する混合油供給手段とを有することを特徴とする燃料監視装置。
【請求項２】
請求項１において、
前記燃料混合比測定装置が、前記混合油を収容する液体セルと、前記液体セルに赤外線を照射する赤外線照射装置と、前記混合油により吸収された赤外波長を検出する検出器とを有することを特徴とする燃料監視装置。
【請求項３】
請求項１又は２において、
抜出した混合油を検出することで得られた前記混合油の吸光度から、前記添加燃料と前記重油系燃料との混合比を求めることを特徴とする燃料監視装置。
【請求項４】
請求項２又は３において、
前記添加燃料が、パームステアリン油、テンプラ油、廃油、アルコールの何れか一つであり、
前記重油系燃料が、Ｃ重油、原油、重質油の何れか一つであることを特徴とする燃料監視装置。
【請求項５】
請求項４において、
前記添加燃料がパームステアリン油であり、前記重油系燃料がＣ重油である場合、
予め前記添加燃料と前記重油系燃料との混合比とその時の前記混合油の１７４０ｃｍ-1付近、又は１１６０ｃｍ-1付近の吸光度との関係を表す検量線を求め、
抜出した混合油を検出することで得られた前記混合油の吸光度から前記添加燃料と前記重油系燃料との混合比を求めることを特徴とする燃料監視装置。
【請求項６】
請求項４において、
前記添加燃料がテンプラ油である場合、
予め前記添加燃料と前記重油系燃料との混合比とその時の前記混合油の１７００ｃｍ-1付近の吸光度との関係を表す検量線を求め、
抜出した混合油を検出することで得られた前記混合油の吸光度から前記添加燃料と前記重油系燃料との混合比を求めることを特徴とする燃料監視装置。
【請求項７】
請求項４において、
前記添加燃料がアルコールである場合、
予め前記添加燃料と前記重油系燃料との混合比とその時の前記混合油の１６００ｃｍ-1付近の吸光度との関係を表す検量線を求め、
抜出した混合油を検出することで得られた前記混合油の吸光度から前記添加燃料と前記重油系燃料との混合比を求めることを特徴とする燃料監視装置。
【請求項８】
請求項１乃至７の何れか一つにおいて、
前記混合油調整装置が、前記混合油を加熱する加熱手段を有することを特徴とする燃料監視装置。
【請求項９】
請求項１乃至８の何れか一つにおいて、
前記混合油調整装置の内部、上流側の何れか一方又は両方の前記混合油抜出し通路に有機溶剤を添加する有機溶剤供給手段を有することを特徴とする燃料監視装置。
【請求項１０】
請求項９において、
予め作成した前記混合油に添加した前記有機溶剤の希釈率と前記有機溶剤から得られる波長付近の吸光度との関係を表す前記有機溶剤の検量線を用いて前記有機溶剤から得られる波長付近の吸光度から前記有機溶剤の希釈率を求め、
予め作成した前記有機溶剤の希釈率と前記有機溶剤で希釈した前記添加燃料の吸光度との関係を表す前記有機溶剤の検量線を用いて前記有機溶剤の希釈率から前記添加燃料の吸光度を求め、
予め作成した前記混合油における前記添加燃料の混合率と前記添加燃料の吸光度との関係を表す前記添加燃料の検量線を用いて前記添加燃料の吸光度から前記添加燃料の混合率を求めることを特徴とする燃料監視装置。
【請求項１１】
請求項９又は１０において、
前記有機溶剤が、四塩化炭素、二硫化炭素、ヘキサン、ベンゼン、アセトンの少なくとも何れか一つ以上であることを特徴とする燃料監視装置。
【請求項１２】
請求項９乃至１１の何れか一つにおいて、
前記混合油抜出し通路に設けられ、前記液体セル内に前記混合油を封入する混合油封入手段を有することを特徴とする燃料監視装置。
【請求項１３】
重油系燃料を貯蔵する重油系燃料タンクと、
添加燃料を貯蔵する添加燃料タンクと、
前記重油系燃料を前記ボイラに送給する重油系燃料送給ラインと、
前記添加燃料を前記ボイラに送給する添加燃料送給ラインと、
前記重油系燃料と前記添加燃料とを混合するライン混合器と、
前記ライン混合器において混合された重油系燃料と添加燃料との混合油を前記ライン混合器から前記ボイラに送給する混合油送給ラインと、
前記混合油送給ラインに前記混合油の一部を抜き出す混合油抜出しラインと、
前記混合油抜出しラインに設けられ、請求項１乃至１２の何れか一つの燃料監視装置とを有することを特徴とするボイラ設備。
【請求項１４】
重油系燃料に添加燃料を添加してなる混合油の一部を抜き出し、抜き出した混合油を液体セルに連続的に供給し、前記液体セルに赤外線を照射し、前記混合油により吸収された赤外波長を検出し、
抜出した混合油を検出することで得られた前記混合油の吸光度から前記添加燃料と前記重油系燃料との混合比を求めることを特徴とする燃料油の混合比判定方法。
【請求項１５】
請求項１４において、
前記添加燃料が、パームステアリン油、テンプラ油、廃油、アルコールの何れか一つであり、
前記重油系燃料が、Ｃ重油、原油、重質油の何れか一つであることを特徴とする燃料油の混合比判定方法。
【請求項１６】
請求項１５において、
前記添加燃料がパームステアリン油であり、前記重油系燃料がＣ重油である場合、
予め求めておいた前記添加燃料と前記重油系燃料との混合比と前記混合油の１７４０ｃｍ-1付近、又は１１６０ｃｍ-1付近の吸光度との関係を表す検量線を用いて検出された前記混合油の吸光度から前記添加燃料と前記重油系燃料との混合比を求めることを特徴とする燃料油の混合比判定方法。
【請求項１７】
請求項１５において、
前記添加燃料がテンプラ油である場合、
予め求めておいた前記添加燃料と前記重油系燃料との混合比と前記混合油の１７００ｃｍ-1付近の吸光度との関係を表す検量線を用いて検出された前記混合油の吸光度から前記添加燃料と前記重油系燃料との混合比を求めることを特徴とする燃料油の混合比判定方法。
【請求項１８】
請求項１５において、
前記添加燃料がアルコールである場合、
予め求めておいた前記添加燃料と前記重油系燃料との混合比と前記混合油の１６００ｃｍ-1付近の吸光度との関係を表す検量線を用いて検出された前記混合油の吸光度から前記添加燃料と前記重油系燃料との混合比を求めることを特徴とする燃料油の混合比判定方法。
【請求項１９】
請求項１４乃至１８の何れか一つにおいて、
抜き出した混合油を加熱した後、測定することを特徴とする燃料油の混合比判定方法。
【請求項２０】
請求項１４乃至１９の何れか一つにおいて、
前記抜き出した混合油に有機溶剤を添加した後、測定することを特徴とする燃料油の混合比判定方法。
【請求項２１】
請求項１４乃至２０の何れか一つにおいて、
予め作成した前記混合油に添加した前記有機溶剤の希釈率と前記有機溶剤から得られる波長付近の吸光度との関係を表す前記有機溶剤の検量線を用いて前記有機溶剤から得られる波長付近の吸光度から前記有機溶剤の希釈率を求め、
予め作成した前記有機溶剤の希釈率と前記有機溶剤で希釈した前記添加燃料の吸光度との関係を表す前記有機溶剤の検量線を用いて前記有機溶剤の希釈率から前記添加燃料の吸光度を求め、
予め作成した前記混合油における前記添加燃料の混合率と前記添加燃料の吸光度との関係を表す前記添加燃料の検量線を用いて前記添加燃料の吸光度から前記添加燃料の混合率を求めることを特徴とする燃料油の混合比判定方法。
【請求項２２】
請求項１４乃至２１の何れか一つにおいて、
前記有機溶剤が、四塩化炭素、二硫化炭素、ヘキサン、ベンゼン、アセトンの少なくとも何れか一つ以上であることを特徴とする燃料油の混合比判定方法。
【請求項２３】
請求項２０乃至２２の何れか一つにおいて、
前記液体セル内に前記混合油を封入した後、測定することを特徴とする燃料油の混合比判定方法。
【発明の詳細な説明】
【技術分野】
【０００１】
本発明は、混合油のパームステアリン油とＣ重油との混合比を測定する燃料監視装置、ボイラ設備、燃料油の混合比判定方法に関する。
【背景技術】
【０００２】
近年、石油価格の高騰、化石燃料の枯渇、排ガス中のＳＯｘ等の有害物質が少ない等からバイオ燃料が注目されている。発電用ボイラとして、パームステアリン油とＣ重油とを例えば３：７の割合で混合した混合油を燃料油として用いるものがある。パームステアリン油とＣ重油とは各々の燃料タンクから各々の燃料油の混合比に応じて一定量供給され、パームステアリン油とＣ重油との混合油は配管内で混合され、ボイラに供給される。
【０００３】
また、パームステアリン油とＣ重油との混合油の混合比を測定する際、バッチ式で行われ、一般に浮き式比重計を用いて浮きばかり（浮ひょう）により混合油の比重を測定するようにしている。浮き式比重計を用いた浮きばかり法は、浮力から比重を測定する方法であり、所定の浮きばかりを液体試料に浮かせ、メニスカスと一致する浮きばかりの目盛りを読み、混合油の混合比の測定を行うようにしている（非特許文献１、参照）。
【０００４】
測定の工程図を図１１に、浮き式比重計の概略図を図１２に示す。図１１、１２に示すように、混合油１０１の一部を採取し（ステップ１１）、例えば約４００ｍｌの混合油１０１を５００ｍｌ用のメスシリンダ１０２に入れ（ステップ１２）、混合油１０１の温度を測定する（ステップ１３）。そして、図１２に示すような浮き式比重計１０３を用いて比重読み取り値１０４から混合油１０１の比重を測定する（ステップ１４）。
【０００５】
【非特許文献１】日本工業規格ＪＩＳ  Ｋ２２４９（原油及び石油製品−密度試験方法及び密度・質量・容量換算表）
【発明の開示】
【発明が解決しようとする課題】
【０００６】
しかしながら、発電用ボイラの燃料油として混合油を用いる場合には、パームステアリン油とＣ重油との混合比が連続的に監視できない場合、必要な空気量、熱負荷などの燃焼制御が困難となり、安定な燃焼条件を保持することができない、という問題がある。
【０００７】
また、パームステアリン油及びＣ重油の一般性状は、図１３に示すようにパームステアリン油及びＣ重油の比重は大きな差が無い（例えば、１５℃でパームステアリン油：約０．９１１３、Ｃ重油：約０．９５２５）ため、浮き式比重計で測定できる比重の精度を考慮すると、浮き式比重計から混合油の混合比を求めるのは非常に困難である、という問題がある。
【０００８】
また、混合油の比重の測定を行う際には、試料採取から比重を測定するまでの分析に時間を要し、結果を迅速に運転側にフィードバックできない、という問題がある。
【０００９】
本発明は、前記問題に鑑み、パームステアリン油とＣ重油との混合比を迅速に測定する燃料監視装置、ボイラ設備、燃料油の混合比判定方法を提供することを課題とする。
【課題を解決するための手段】
【００１０】
上述した課題を解決するため本発明の第１の発明は、重油系燃料に添加燃料を添加してなる混合油の一部を抜き出す混合油抜出し通路と、抜出した混合油を測定用に調整する混合油調整装置と、該混合油調整装置で調整された混合油中の前記添加燃料と前記重油系燃料との混合比を測定する前記混合油抜出し通路に介装された燃料混合比測定装置と、前記燃料混合比測定装置に前記混合油を連続的に供給する混合油供給手段とを有することを特徴とする燃料監視装置にある。
【００１１】
第２の発明は、第１の発明において、前記燃料混合比測定装置が、前記混合油を収容する液体セルと、前記液体セルに赤外線を照射する赤外線照射装置と、前記混合油により吸収された赤外波長を検出する検出器とを有することを特徴とする燃料監視装置にある。
【００１２】
第３の発明は、第１又は２の発明において、抜出した混合油を検出することで得られた前記混合油の吸光度から前記添加燃料と前記重油系燃料との混合比を求めることを特徴とする燃料監視装置にある。
【００１３】
第４の発明は、第２又は３の発明において、前記添加燃料が、パームステアリン油、テンプラ油、廃油、アルコールの何れか一つであり、前記重油系燃料が、Ｃ重油、原油、重質油の何れか一つであることを特徴とする燃料監視装置にある。
【００１４】
第５の発明は、第４の発明において、前記添加燃料がパームステアリン油であり、前記重油系燃料がＣ重油である場合、予め前記添加燃料と前記重油系燃料との混合比とその時の前記混合油の１７４０ｃｍ-1付近、又は１１６０ｃｍ-1付近の吸光度との関係を表す検量線を求め、抜出した混合油を検出することで得られた前記混合油の吸光度から前記添加燃料と前記重油系燃料との混合比を求めることを特徴とする燃料監視装置にある。
【００１５】
第６の発明は、第４の発明において、前記添加燃料がテンプラ油である場合、予め前記添加燃料と前記重油系燃料との混合比とその時の前記混合油の１７００ｃｍ-1付近の吸光度との関係を表す検量線を求め、抜出した混合油を検出することで得られた前記混合油の吸光度から前記添加燃料と前記重油系燃料との混合比を求めることを特徴とする燃料監視装置にある。
【００１６】
第７の発明は、第４の発明において、前記添加燃料がアルコールである場合、予め前記添加燃料と前記重油系燃料との混合比とその時の前記混合油の１６００ｃｍ-1付近の吸光度との関係を表す検量線を求め、抜出した混合油を検出することで得られた前記混合油の吸光度から前記添加燃料と前記重油系燃料との混合比を求めることを特徴とする燃料監視装置にある。
【００１７】
第８の発明は、第１乃至７の何れか一つの発明において、前記混合油調整装置が、前記混合油を加熱する加熱手段を有することを特徴とする燃料監視装置にある。
【００１８】
第９の発明は、第１乃至８の何れか一つの発明において、前記混合油調整装置の内部、上流側の何れか一方又は両方の前記混合油抜出し通路に有機溶剤を添加する有機溶剤供給手段を有することを特徴とする燃料監視装置にある。
【００１９】
第１０の発明は、第９の発明において、予め作成した前記混合油に添加した前記有機溶剤の希釈率と前記有機溶剤から得られる波長付近の吸光度との関係を表す前記有機溶剤の検量線を用いて前記有機溶剤から得られる波長付近の吸光度から前記有機溶剤の希釈率を求め、予め作成した前記有機溶剤の希釈率と前記有機溶剤で希釈した前記添加燃料の吸光度との関係を表す前記有機溶剤の検量線を用いて前記有機溶剤の希釈率から前記添加燃料の吸光度を求め、予め作成した前記混合油における前記添加燃料の混合率と前記添加燃料の吸光度との関係を表す前記添加燃料の検量線を用いて前記添加燃料の吸光度から前記添加燃料の混合率を求めることを特徴とする燃料監視装置にある。
【００２０】
第１１の発明は、第９又は１０の発明において、前記有機溶剤が、四塩化炭素、ニ硫化炭素、ヘキサン、ベンゼン、アセトンの少なくとも何れか一つ以上であることを特徴とする燃料監視装置にある。
【００２１】
第１２の発明は、第９乃至１１の何れか一つの発明において、前記混合油抜出し通路に設けられ、前記液体セル内に前記混合油を封入する混合油封入手段を有することを特徴とする燃料監視装置にある。
【００２２】
第１３の発明は、重油系燃料を貯蔵する重油系燃料タンクと、添加燃料を貯蔵する添加燃料タンクと、前記重油系燃料を前記ボイラに送給する重油系燃料送給ラインと、前記添加燃料を前記ボイラに送給する添加燃料送給ラインと、前記重油系燃料と前記添加燃料とを混合するライン混合器と、前記ライン混合器において混合された重油系燃料と添加燃料との混合油を前記ライン混合器から前記ボイラに送給する混合油送給ラインと、前記混合油送給ラインに前記混合油の一部を抜き出す混合油抜出しラインと、前記混合油抜出しラインに設けられ、請求項１乃至１２の何れか一つの燃料監視装置とを有することを特徴とするボイラ設備にある。
【００２３】
第１４の発明は、重油系燃料に添加燃料を添加してなる混合油の一部を抜き出し、抜き出した混合油を液体セルに連続的に供給し、前記液体セルに赤外線を照射し、前記混合油により吸収された赤外波長を検出し、抜出した混合油を検出することで得られた前記混合油の吸光度から前記添加燃料と前記重油系燃料との混合比を求めることを特徴とする燃料油の混合比判定方法にある。
【００２４】
第１５の発明は、第１４の発明において、前記添加燃料が、パームステアリン油、テンプラ油、廃油、アルコールの何れか一つであり、前記重油系燃料が、Ｃ重油、原油、重質油の何れか一つであることを特徴とする燃料油の混合比判定方法にある。
【００２５】
第１６の発明は、第１５の発明において、前記添加燃料がパームステアリン油であり、前記重油系燃料がＣ重油である場合、予め求めておいた前記添加燃料と前記重油系燃料との混合比と前記混合油の１７４０ｃｍ-1付近、又は１１６０ｃｍ-1付近の吸光度との関係を表す検量線を用いて検出された前記混合油の吸光度から前記添加燃料と前記重油系燃料との混合比を求めることを特徴とする燃料油の混合比判定方法にある。
【００２６】
第１７の発明は、第１５の発明において、前記添加燃料がテンプラ油である場合、予め求めておいた前記添加燃料と前記重油系燃料との混合比と前記混合油の１７００ｃｍ-1付近の吸光度との関係を表す検量線を用いて検出された前記混合油の吸光度から前記添加燃料と前記重油系燃料との混合比を求めることを特徴とする燃料油の混合比判定方法にある。
【００２７】
第１８の発明は、第１５の発明において、前記添加燃料がアルコールである場合、予め求めておいた前記添加燃料と前記重油系燃料との混合比と前記混合油の１６００ｃｍ-1付近の吸光度との関係を表す検量線を用いて検出された前記混合油の吸光度から前記添加燃料と前記重油系燃料との混合比を求めることを特徴とする燃料油の混合比判定方法にある。
【００２８】
第１９の発明は、第１４乃至１８の何れか一つの発明において、抜き出した混合油を加熱した後、測定することを特徴とする燃料油の混合比判定方法にある。
【００２９】
第２０の発明は、第１４乃至１９の何れか一つの発明において、前記抜き出した混合油に有機溶剤を添加した後、測定することを特徴とする燃料油の混合比判定方法にある。
【００３０】
第２１の発明は、第１４乃至２０の何れか一つの発明において、予め作成した前記混合油に添加した前記有機溶剤の希釈率と前記有機溶剤から得られる波長付近の吸光度との関係を表す前記有機溶剤の検量線を用いて前記有機溶剤から得られる波長付近の吸光度から前記有機溶剤の希釈率を求め、予め作成した前記有機溶剤の希釈率と前記有機溶剤で希釈した前記添加燃料の吸光度との関係を表す前記有機溶剤の検量線を用いて前記有機溶剤の希釈率から前記添加燃料の吸光度を求め、予め作成した前記混合油における前記添加燃料の混合率と前記添加燃料の吸光度との関係を表す前記添加燃料の検量線を用いて前記添加燃料の吸光度から前記添加燃料の混合率を求めることを特徴とする燃料油の混合比判定方法にある。
【００３１】
第２２の発明は、第１４乃至２１の何れか一つの発明において、前記有機溶剤が、四塩化炭素、ニ硫化炭素、ヘキサン、ベンゼン、アセトンの少なくとも何れか一つ以上であることを特徴とする燃料油の混合比判定方法にある。
【００３２】
第２３の発明は、第２０乃至２２の何れか一つの発明において、前記液体セル内に前記混合油を封入した後、測定することを特徴とする燃料油の混合比判定方法にある。
【発明の効果】
【００３３】
本発明によれば、重油系燃料に添加燃料を添加してなる混合油の一部を抜き出す混合油抜出し通路と、抜出した混合油を測定用に調整する混合油調整装置と、該混合油調整装置で調整された混合油中の前記添加燃料と前記重油系燃料との混合比を測定する前記混合油抜出し通路に介装された燃料混合比測定装置と、前記燃料混合比測定装置に前記混合油を連続的に供給する混合油供給手段とを有するため、前記混合油中の前記添加燃料と前記重油系燃料との混合比を連続的に測定することができる。
【００３４】
また、前記燃料混合比測定装置が、前記混合油を収容する液体セルと、前記液体セルに赤外線を照射する赤外線照射装置と、前記混合油により吸収された赤外波長を検出する検出器とを有するものであることで、前記混合油に赤外線を照射し、吸収された赤外波長を検出することができるため、前記混合油中の前記添加燃料と前記重油系燃料との混合比を観察することができる。
【００３５】
また、前記添加燃料がパームステアリン油であり、前記重油系燃料がＣ重油である場合、予め前記パームステアリン油と前記重油系燃料との混合比とその時の前記混合油の１７４０ｃｍ-1付近、又は１１６０ｃｍ-1付近の吸光度との関係を表す検量線を求め、抜出した混合油を検出することで、得られた前記混合油の吸光度から前記パームステアリン油と前記重油系燃料との混合比を求めることができる。
【００３６】
また、前記添加燃料がテンプラ油である場合、予め前記テンプラ油と前記重油系燃料との混合比とその時の前記混合油の１７００ｃｍ-1付近の吸光度との関係を表す検量線を求め、抜出した混合油を検出することで、得られた前記混合油の吸光度から前記テンプラ油と前記重油系燃料との混合比を求めることができる。
【００３７】
また、前記添加燃料がアルコールである場合、予め前記アルコールと前記重油系燃料との混合比とその時の前記混合油の１６００ｃｍ-1付近の吸光度との関係を表す検量線を求め、抜出した混合油を検出することで、得られた前記混合油の吸光度から前記アルコールと前記重油系燃料との混合比を求めることができる。
【００３８】
また前記混合油調整装置が、前記混合油を加熱する加熱手段を有することで、抜出した混合油の流動性を高め、燃料混合比測定装置に収容する前記混合油の置換を容易に行うことができる。
【００３９】
また前記混合油調整装置の内部、上流側の何れか一方又は両方の前記混合油抜出し通路に有機溶剤を添加する有機溶剤供給手段を有することで、前記混合油の流動性を高めることができ、前記燃料混合比測定装置に収容する前記混合油の置換を容易に行うことができる。また、前記混合油中の水分が希釈されるため、水分による測定時の妨害を減少させることができる。
【００４０】
また、前記燃料混合比測定装置の長期間の使用による前記液体セルの有機物、水分などに起因する汚染を除去することができる。
【００４１】
また、予め作成した前記混合油に添加した前記有機溶剤の希釈率と前記有機溶剤から得られる波長付近の吸光度との関係を表す前記有機溶剤の検量線を用いて前記有機溶剤から得られる波長付近の吸光度から前記有機溶剤の希釈率を求め、予め作成した前記有機溶剤の希釈率と前記有機溶剤で希釈した前記添加燃料の吸光度との関係を表す前記有機溶剤の検量線を用いて前記有機溶剤の希釈率から前記添加燃料の吸光度を求め、予め作成した前記混合油における前記添加燃料の混合率と前記添加燃料の吸光度との関係を表す前記添加燃料の検量線を用いることで、前記添加燃料の吸光度から前記添加燃料の混合率を求めることができる。
【００４２】
また、前記混合油抜出し通路に設けられ、前記液体セル内に前記混合油を封入する混合油封入手段を有することで、前記液体セル内に前記混合油を封入し、前記液体セルに入れた前記混合油のサンプルを用いて複数回測定することができるため、測定時の積算回数を重ねることで分析感度を向上させ、得られる吸光高度の精度を向上させることができる。
【発明を実施するための最良の形態】
【００４３】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例１】
【００４４】
本発明による実施例１に係る燃料監視装置について、図面を参照して説明する。
図１は、本発明による実施例１に係る燃料監視装置の構成を簡略に示す概念図である。
図１に示すように、本実施例に係る燃料監視装置１０Ａは、重油系燃料としてＣ重油に添加燃料としてパームステアリン油を添加してなる混合油１１の一部を抜き出す混合油抜出し通路１２と、抜出した混合油を測定のサンプル用に調整する混合油調整装置１３と、該混合油調整装置１３で調整された混合油１１中の前記パームステアリン油と前記Ｃ重油との混合比を測定する混合油抜出し通路１２に介装された燃料混合比測定装置１４と、燃料混合比測定装置１４に混合油１１を連続的に供給する混合油抜出しポンプ（混合油供給手段）１５とを有するものである。
【００４５】
燃料配管１６中の混合油１１を混合油抜出しポンプ１５により混合油抜出し通路１２へ抜出し、混合油抜出し通路１２を介して燃料混合比測定装置１４に混合油１１を連続的に供給することができるため、混合油１１中のパームステアリン油とＣ重油との混合比を連続的に測定することができる。
【００４６】
また、本実施例に係る燃料監視装置１０Ａにおいては、燃料混合比測定装置１４は、混合油１１を収容する液体セル１７と、液体セル１７に赤外線を照射する図示しない赤外線照射装置と、混合油１１により吸収された赤外波長を検出する検出器１８とからなるものである。燃料混合比測定装置１４として、例えばＦＴ−ＩＲ装置が用いられるが、赤外線を照射することで混合油１１から吸収ピークが観察されるものであればよく、本発明はこれに限定されるものではない。
【００４７】
本実施例に係る燃料監視装置１０Ａにおいては、予め前記パームステアリン油と前記Ｃ重油との混合比とその時の混合油１１の１７４０ｃｍ-1付近、又は１１６０ｃｍ-1付近の吸光度との関係を表す検量線を求め、抜出した混合油１１を検出することで得られた混合油１１の吸光度から前記パームステアリン油と前記Ｃ重油との混合比を求めるようにしている。
【００４８】
抜き出した混合油１１を液体セル１７に連続的に供給し、液体セル１７に前記赤外線を照射し、混合油１１により吸収された赤外波長を検出する。そして、検出された赤外波長の情報はデータ処理装置１９に送信される。そして、予め求めておいた前記パームステアリン油と前記Ｃ重油との混合比と混合油１１の１７４０ｃｍ-1付近、又は１１６０ｃｍ-1付近の吸光度との関係を表す検量線を用いて検出された混合油１１の吸光度から前記パームステアリン油と前記Ｃ重油との混合比を求める。
【００４９】
図２は、パームステアリン油とＣ重油の赤外線吸収スペクトルを表した図である。
図２に示すように、パームステアリン油には、１７４０ｃｍ-1付近（図２中、矢印Ａ）および１１６０ｃｍ-1付近（図２中、矢印Ｂ）に、エステル結合による特徴的な吸収ピークが観察され、Ｃ重油からは観察されない。よって、１７４０ｃｍ-1付近、又は１１６０ｃｍ-1付近の吸光度を測定することでパームステアリン油の混合率を求めることができる。
【００５０】
予め、既知量のパームステアリン油とＣ重油とを混合し作製した数種の標準試料の１７４０ｃｍ-1付近、又は１１６０ｃｍ-1付近の吸光度とパームステアリン油とＣ重油との混合比を元に検量線を作成する。
【００５１】
図３は、パームステアリン油の混合率と波数が１７４０ｃｍ-1の時の吸光度との関係を示す図である。図３に示すように、パームステアリン油の混合率に応じた吸光度から得られる検量線に基づいて混合油１１の波数が１７４０ｃｍ-1付近での吸光度からパームステアリン油の混合比を求めることができる。
【００５２】
よって、混合油１１の１７４０ｃｍ-1付近、又は１１６０ｃｍ-1付近の吸収ピーク強度を測定し、図３に示すような予め作成した検量線と比較することにより混合油１１の混合比を求めることができる。
【００５３】
また、前記添加燃料としてパームステアリン油以外に、例えばテンプラ油、廃油、アルコールなどが挙げられる。前記添加燃料としてテンプラ油を用いた場合には、テンプラ油のカルボン酸に由来する１７００ｃｍ-1付近の吸収ピークが得られることから、予めテンプラ油とＣ重油との混合比とその時の混合油１１の１７００ｃｍ-1付近の吸光度との関係を表す検量線を求め、抜出した混合油１１を検出することで得られた混合油１１の吸光度からテンプラ油とＣ重油との混合比を求めるようにする。
【００５４】
また、前記添加燃料としてアルコール（メタノール、エタノール等）を用いた場合には、アルコールのヒドロキシ基に由来する１６００ｃｍ-1付近の吸収ピークが得られることから、予めアルコールとＣ重油との混合比とその時の混合油１１の１６００ｃｍ-1付近の吸光度との関係を表す検量線を求め、抜出した混合油１１を検出することで得られた混合油１１の吸光度からアルコールとＣ重油との混合比を求めるようにする。
【００５５】
このように、本実施例に係る燃料監視装置１０Ａによれば、混合油１１の一部を抜き出す混合油抜出し通路１２と、抜出した混合油を測定用に調整する混合油調整装置１３と、該混合油調整装置１３で調整された混合油１１中の前記パームステアリン油と前記Ｃ重油との混合比を測定する燃料混合比測定装置１４と、燃料混合比測定装置１４に混合油１１を連続的に供給する混合油抜出しポンプ１５とを有しているため、混合油抜出し通路１２により燃料混合比測定装置１４に混合油１１を連続的に供給することができる。そして、予め求めておいた前記パームステアリン油と前記Ｃ重油との混合比とその時の混合油１１の１７４０ｃｍ-1付近、又は１１６０ｃｍ-1付近の吸光度との関係を表す図３に示すような検量線より、混合油１１のパームステアリン油とＣ重油との混合比を連続的に測定することができる。これにより、ボイラの安定な燃焼を保持することができる。
【００５６】
また、本実施例では、前記重油系燃料としてＣ重油を用いて説明したが、これに限定されるものではなく、原油、重質油などの何れか一つを用いるようにしてもよい。
【００５７】
また、本実施例では、パームステアリン油とＣ重油との２種類を混合した混合油を用いて説明したが、これに限定されるものではなく、他の複数の異なる燃料油を用いてもよい。
【実施例２】
【００５８】
本発明による実施例２に係る燃料監視装置について、図４を参照して説明する。
図４は、本発明による実施例２に係る燃料監視装置の構成を簡略に示す概念図である。
図４に示すように、本実施例に係る燃料監視装置１０Ｂは、図１に示す実施例１に係る燃料監視装置１０Ａの構成と同様であるため、同一部材には同一の符号を付して重複した説明は省略する。
【００５９】
図４に示すように、本実施例に係る燃料監視装置１０Ｂは、前記図１に示した実施例１に係る燃料監視装置１０Ａの混合油調整装置１３に混合油１１を加熱するヒータ２１を設けたものである。
【００６０】
混合油抜出し通路１２内を通過する混合油１１を混合油調整装置１３内で加熱した後、液体セル１７に供給して混合油１１の混合比を判定する。
【００６１】
混合油抜出し通路１２内を通過する混合油１１を混合油調整装置１３内で加熱することにより、混合油調整装置１３を通過した混合油抜出し通路１２内の混合油１１の流動性を高めることができる。
【００６２】
混合油１１の温度としては、５０℃〜８０℃に保つのが好ましく、更には６０℃程度になるように加熱するのが好ましい。これは、燃料混合比測定装置１４の液体セル１７に収容する混合油１１の置換を容易に行うことができるためには、Ｃ重油の動粘度を例えば約３７ｃＳｔ程度以下にする必要があり、混合油１１の温度を６０℃程度とすることでＣ重油の動粘度を例えば約３７ｃＳｔ程度にすることができるからである。
【００６３】
よって、混合油抜出し通路１２内を通過する混合油１１の流動性を高めることで、燃料混合比測定装置１４の液体セル１７に収容する混合油１１の置換を容易に行うことができる。
【００６４】
また、温度により混合油１１の密度が変化し、１７４０ｃｍ-1付近、又は１１６０ｃｍ-1付近の吸光度が変化するため、予め温度の補正係数を求めておき、加熱された混合油１１の温度に応じた吸光度を求めておくようにする。
【００６５】
従って、本実施例に係る燃料監視装置１０Ｂによれば、混合油調整装置１３に混合油１１を加熱するヒータ２１を設けているため、混合油抜出し通路１２内を通過する混合油１１を混合油調整装置１３内で加熱することができ、混合油抜出し通路１２内を通過する混合油１１の流動性を高め、液体セル１７に収容する混合油１１の置換を容易に行うことができる。
【００６６】
本実施例に係る燃料監視装置１０Ｂにおいては、混合油調整装置１３に加熱手段として、ヒータ２１を設けているが、本発明はこれに限定されるものではなく、混合油１１を加熱できるものであれば他の加熱手段を用いてもよい。
【実施例３】
【００６７】
本発明による実施例３に係る燃料監視装置について、図５を参照して説明する。
図５は、本発明による実施例３に係る燃料監視装置の構成を簡略に示す概念図である。
図５に示すように、本実施例に係る燃料監視装置１０Ｃは、図１に示す実施例１に係る燃料監視装置１０Ａの構成と同様であるため、同一部材には同一の符号を付して重複した説明は省略する。
【００６８】
図５に示すように、本実施例に係る燃料監視装置１０Ｃは、前記図１に示した実施例１に係る燃料監視装置１０Ａの混合油調整装置１３に混合油１１に有機溶剤２２を添加する有機溶剤供給部２３を設けたものである。
【００６９】
有機溶剤供給部２３から有機溶剤送給ポンプ２４により有機溶剤２２を有機溶剤送給ライン２５を介して混合油抜出し通路１２内を通過する混合油１１に添加した後、液体セル１７に混合油１１を供給し、混合油１１の混合比を判定する。
【００７０】
混合油抜出し通路１２内を通過する混合油１１に有機溶剤２２を添加することにより、混合油調整装置１３を通過した混合油抜出し通路１２内の混合油１１の流動性を高めることができる。
【００７１】
有機溶剤２２としては、例えば、四塩化炭素、二硫化炭素、ヘキサン、ベンゼン、アセトン等がある。
【００７２】
有機溶剤２２の添加量としては、５０〜９０ｖｏｌ％添加するのが好ましい。これは、燃料混合比測定装置１４の液体セル１７に収容する混合油１１の置換を容易に行うことができるようにするためには、Ｃ重油の動粘度を例えば約３７ｃＳｔ程度以下にする必要があるからである。有機溶剤２２の添加量を５０〜９０ｖｏｌ％とすることでＣ重油の動粘度を例えば約３７ｃＳｔ程度にすることができる。
【００７３】
よって、混合油１１に有機溶剤２２を添加し混合油１１の流動性を高めることで、燃料混合比測定装置１４の液体セル１７に収容する混合油１１の置換を容易に行うことができる。また、混合油１１中の水分が希釈されるため、水分による測定時の妨害を減少させることができる。
【００７４】
また、添加する有機溶剤２２の種類、有機溶剤２２を添加する希釈量に応じて混合油１１の密度が変化し、１７４０ｃｍ-1付近、又は１１６０ｃｍ-1付近の吸収ピーク強度が変化する。このため、予め添加する有機溶剤２２の種類、添加した有機溶剤２２の希釈量ごとに補正係数を求めておき、添加された有機溶剤２２の種類、添加した有機溶剤２２の希釈量ごとに応じた吸収ピーク強度を求めるようにする。
【００７５】
従って、本実施例に係る燃料監視装置１０Ｃによれば、混合油調整装置１３に混合油抜出し通路１２内を通過する混合油１１に有機溶剤２２を添加する有機溶剤供給部２３を設けているため、混合油抜出し通路１２内の混合油１１の流動性を高め、液体セル１７に収容する混合油１１の置換を容易に行うことができると共に、混合油１１中の水分を希釈し、水分による測定時の妨害を減少させることができる。
【実施例４】
【００７６】
本発明による実施例４に係る燃料監視装置について、図６を参照して説明する。
図６は、本発明による実施例４に係る燃料監視装置の構成を簡略に示す概念図である。
図６に示すように、本実施例に係る燃料監視装置１０Ｄは、図１に示す実施例１に係る燃料監視装置１０Ａの構成と同様であるため、同一部材には同一の符号を付して重複した説明は省略する。
【００７７】
図６に示すように、本実施例に係る燃料監視装置１０Ｄは、前記図５に示した実施例３に係る燃料監視装置１０Ｃの混合油調整装置１３に設けた有機溶剤供給部２３を混合油調整装置１３より上流側の混合油抜出し通路１２に設けたものである。
【００７８】
混合油１１を混合油抜出し通路１２に抜出して混合率の測定を行わない時には、有機溶剤２２を混合油抜出し通路１２に添加することで、燃料混合比測定装置１４の長期間の使用による混合油抜出し通路１２、液体セル１７の有機物、水分などに起因する汚染を除去することができる。
【００７９】
また、有機溶剤送給ライン２５に流量制御バルブＶ1を設けて混合油抜出し通路１２に供給する有機溶剤２２の供給量を調整するようにしてもよい。また、混合油抜出し通路１２に流量制御バルブＶ2を設けて混合油抜出し通路１２、液体セル１７を洗浄した有機溶剤２２を排出するようにしてもよい。
【００８０】
また、本実施例に係る燃料監視装置１０Ｄにおいては、有機溶剤供給部２３を混合油調整装置１３の上流側の混合油抜出し通路１２に設けるようにしているが、本発明はこれに限定されるものではない。例えば、混合油調整装置１３と混合油抜出し通路１２との両方に有機溶剤供給部２３を設け有機溶剤２２を供給するようにしてもよい。これにより、混合油調整装置１３に供給する有機溶剤２２により混合油抜出し通路１２内の混合油１１の流動性を高めるために用い、混合油抜出し通路１２に供給する有機溶剤２２により混合油抜出し通路１２、液体セル１７の有機物などの汚染物を除去するようにしてもよい。
【００８１】
また、混合油抜出し通路１２に供給する有機溶剤２２も混合油抜出し通路１２内の混合油１１の流動性を高めるために用いるようにしてもよい。
【００８２】
また、混合油調整装置１３に供給する有機溶剤２２も混合油抜出し通路１２、液体セル１７の有機物などの汚染物を除去するために用いるようにしてもよい。
【実施例５】
【００８３】
本発明による実施例５に係る燃料監視装置について、図７を参照して説明する。
図７は、本発明による実施例５に係る燃料監視装置の構成を簡略に示す概念図である。
図７に示すように、本実施例に係る燃料監視装置１０Ｅは、図１に示す実施例１に係る燃料監視装置１０Ａの構成と同様であるため、同一部材には同一の符号を付して重複した説明は省略する。
【００８４】
図７に示すように、本実施例に係る燃料監視装置１０Ｅは、前記図４に示した実施例２に係る燃料監視装置１０Ｂの混合油調整装置１３に混合油１１を加熱するヒータ２１と、前記図５に示した実施例３に係る燃料監視装置１０Ｃの混合油調整装置１３に混合油１１に有機溶剤２２を添加する有機溶剤供給部２３とを有するものである。
【００８５】
混合油抜出し通路１２内を通過する混合油１１を混合油調整装置１３内でヒータ２１により加熱し、混合油１１に有機溶剤２２を添加した後、液体セル１７に供給し、混合油１１の混合比を判定する。
【００８６】
混合油抜出し通路１２内を通過する混合油１１を混合油調整装置１３内で加熱し、有機溶剤２２を添加することにより、混合油１１の流動性を高め、液体セル１７に収容する混合油１１の置換を更に容易に行うことができる。
【００８７】
また、有機溶剤２２を混合油１１に添加することで混合油１１中の水分が希釈されるため、水分による測定時の妨害を減少させることができると共に、液体セル１７の有機物、水分などに起因する汚染を除去することができる。
【００８８】
また、混合油１１の温度、添加する有機溶剤２２の種類、有機溶剤２２を添加する希釈量に応じて混合油１１の密度が変化し、１７４０ｃｍ-1付近、又は１１６０ｃｍ-1付近の吸光度が変化するため、予め混合油１１の温度、添加する有機溶剤２２の種類、添加した有機溶剤２２の希釈量ごとに補正係数を求めておき、混合油１１の温度、添加された有機溶剤２２の種類、添加した有機溶剤２２の希釈量ごとに応じた吸光度を求めておくようにする。
【００８９】
従って、本実施例に係る燃料監視装置１０Ｄによれば、混合油調整装置１３に混合油１１を加熱するヒータ２１と、混合油１１に有機溶剤２２を添加する有機溶剤供給部２３とを設けているため、混合油抜出し通路１２内の混合油１１の流動性を高め、液体セル１７に収容する混合油１１の置換を更に容易に行うことができる。また、有機溶剤２２を混合油１１に添加することで水分による測定時の妨害を減少させることができると共に、液体セル１７の有機物、水分などに起因する汚染を除去することができる。
【実施例６】
【００９０】
本発明による実施例６に係る燃料監視装置について、図８を参照して説明する。
本実施例に係る燃料監視装置の構成は、図５、６に示す実施例３、４に係る燃料監視装置１０Ｃ、１０Ｄの構成と同様であるため、本発明による実施例５に係る燃料監視装置の構成を示す図は省略し、図５、６を用いて説明する。
本実施例に係る燃料監視装置は、予め混合油１１に添加した有機溶剤２２の波長付近の吸光度と用いた有機溶剤２２の希釈率との関係を表す有機溶剤２２の検量線を求め、用いた有機溶剤２２の波長付近の吸光度を検出することで得られた有機溶剤２２の希釈率から前記パームステアリン油と前記Ｃ重油との混合比を求めるようにしている。
【００９１】
即ち、本実施例に係る燃料監視装置は、予め作成した混合油１１に添加した有機溶剤２２の希釈率と有機溶剤２２から得られる波長付近の吸光度との関係を表す有機溶剤２２の検量線を用いて有機溶剤２２から得られる波長付近の吸光度から有機溶剤２２の希釈率を求め、予め作成した有機溶剤２２の希釈率と有機溶剤２２で希釈したパームステアリン油の吸光度との関係を表す有機溶剤２２の検量線を用いて有機溶剤２２の希釈率から前記パームステアリン油の吸光度を求め、予め作成した混合油１１における前記パームステアリン油の混合率と前記パームステアリン油の吸光度との関係を表す前記パームステアリン油の検量線を用いて前記パームステアリン油の吸光度から前記パームステアリン油の混合率を求めるものである。
【００９２】
図８は、四塩化炭素の赤外線吸収スペクトルを示す図である。図８に示すように、四塩化炭素の赤外線吸収スペクトルが８００ｃｍ-1付近での吸収ピークが観察される。よって、有機溶剤２２として四塩化炭素を用いる場合には、８００ｃｍ-1付近の四塩化炭素の吸光度と四塩化炭素の希釈率との関係を表す四塩化炭素の検量線を作成するのが好ましい。
【００９３】
そして、混合油１１の８００ｃｍ-1付近の吸光度を測定し、予め作成した四塩化炭素の吸光度と四塩化炭素の希釈率との関係を表す四塩化炭素の検量線と比較することにより四塩化炭素の希釈率が分かる。そして、予め作成した四塩化炭素の希釈率と前記パームステアリン油の吸光度との関係を表すパームステアリン油の検量線と比較することにより前記パームステアリン油の吸光度が分かる。そして、図３に示すようなパームステアリン油の混合率に応じた吸光度から得られる検量線に基づいて前記パームステアリン油の吸光度からパームステアリン油の混合比を求めることができる。
【００９４】
また、有機溶剤２２として、四塩化炭素の他に二硫化炭素を用いる場合には赤外線吸収スペクトルが２２００ｃｍ-1付近で、ベンゼンを用いる場合には赤外線吸収スペクトルが１９５０ｃｍ-1付近で二硫化炭素、ベンゼンの各々吸収ピークが観察される。
【００９５】
従って、本実施例に係る燃料監視装置によれば、予め混合油１１に添加した有機溶剤２２の波長付近の吸光度と用いた有機溶剤２２の希釈率との関係を表す有機溶剤２２の検量線を求めておくことで、用いた有機溶剤２２の所定の波長付近での吸光度を検出することで得られた有機溶剤２２の希釈率が求められ、この有機溶剤２２の希釈率から前記パームステアリン油の吸光度が求められるため、有機溶剤２２の希釈量の変動が生じた場合でも、この前記パームステアリン油の吸光度から前記パームステアリン油の混合比を求めることができる。
【００９６】
また、本実施例に係る燃料監視装置の構成は、図４に示す実施例２に係る燃料監視装置１０Ｂのように燃料監視装置１０Ｂの混合油調整装置１３に混合油１１を加熱するヒータ２１を設けるようにしてもよい。
【実施例７】
【００９７】
本発明による実施例７に係る燃料監視装置について、図９を参照して説明する。
図９は、本発明による実施例７に係る燃料監視装置の構成を簡略に示す概念図である。
図９に示すように、本実施例に係る燃料監視装置１０Ｆは、図１に示す実施例１に係る燃料監視装置１０Ａの構成と同様であるため、同一部材には同一の符号を付して重複した説明は省略する。
【００９８】
図９に示すように、本実施例に係る燃料監視装置１０Ｆは、前記図１に示した実施例１に係る燃料監視装置１０Ａの混合油調整装置１３と燃料混合比測定装置１４との間の混合油抜出し通路１２上に液体セル１７内に混合油１１を封入する混合油封入手段として混合油流量調整バルブ２６−１、２６−２を有するものである。
【００９９】
燃料混合比測定装置１４の液体セル１７内に混合油１１を入れた後、混合油流量調整バルブ２６−１、２６−２を閉鎖し、液体セル１７内の混合油１１が停止した状態で液体セル１７に赤外線を照射して液体セル１７内の混合油１１の混合比の測定を複数回行う。
【０１００】
混合油抜出し通路１２内を通過する混合油１１を混合油流量調整バルブ２４により液体セル１７に入れた同じ混合油１１を用いて複数回測定することができるため、測定時の積算回数を重ねることで分析感度を向上させ、得られる吸光度の精度を向上させることができる。
【実施例８】
【０１０１】
次に、本発明の燃料監視装置を用いたボイラ設備について、図１０を参照して説明する。
図１０は、本発明による実施例８に係るボイラ設備の構成を簡略に示す概念図である。
燃料監視装置の構成は、本発明の実施例１に係る燃料監視装置１０Ａと同様であるため、ここでは説明は省略する。
また、本実施例では、添加燃料としてパームステアリン油を用い、重油系燃料としてＣ重油を用いて説明する。
図１０に示すように、本実施例に係るボイラ設備３０は、Ｃ重油を貯蔵するＣ重油タンク３１と、パームステアリン油を貯蔵するパームステアリン油タンク３２と、Ｃ重油をボイラ３３に送給するＣ重油送給ライン３４と、パームステアリン油をボイラ３３に送給するパームステアリン油送給ライン３５と、Ｃ重油とパームステアリン油とを混合するライン混合器３６と、ライン混合器３６において混合されたＣ重油とパームステアリン油との混合油１１をライン混合器３６からボイラ３３に送給する混合油送給ライン３７と、混合油送給ライン３７に混合油１１の一部を抜き出す混合油抜出しライン３８と、混合油抜出しライン３８に設けられ、混合油１１の混合比を検出する燃料監視装置３９とを有するものである。
燃料監視装置３９として例えば本発明の実施例１に係る燃料監視装置１０Ａが用いられる。
【０１０２】
燃料監視装置３９で得られた混合比データは、Ｃ重油送給ライン３４とパームステアリン油送給ライン３５とに設けた流量制御バルブＶ11、Ｖ12にフィードバックされ、パームステアリン油、及びＣ重油の流量を制御するようにしている。
【０１０３】
燃料監視装置３９で得られた混合比データに基づいて流量制御バルブＶ11、Ｖ12によりパームステアリン油、及びＣ重油の流量を調整することができるため、混合油１１を所定の混合比となるように一定に保つことができる。これにより、混合油１１の連続的な混合比の監視が可能となり、ボイラ３３等の安定な燃焼を保持することができる。
【０１０４】
よって、本実施例に係るボイラ設備３０を用いれば、混合油１１を混合油送給ライン３７から混合油抜出しライン３８に混合油１１の一部を抜き出し、本実施例に係る燃料監視装置３９を用いて混合油１１の混合比を連続的に監視し、パームステアリン油、及びＣ重油の流量を調整することができるため、混合油１１を所定の混合比となるように一定に保つことができ、安定且つ信頼性の高いボイラ設備を提供することができる。
【０１０５】
また、本実施例においては、燃料監視装置３９として実施例１の燃料監視装置１０Ａを用いて説明したが、本発明はこれに限定されるものではなく、実施例２乃至実施例７の何れか一つの燃料監視装置を用いるようにしてもよい。
【産業上の利用可能性】
【０１０６】
以上のように、本発明に係る燃料監視装置及びボイラ設備は、混合油の混合比を連続的に監視し、前記混合油を所定の混合比となるように一定に保つことによりボイラなどでの安定な燃焼を保持することができるため、混合油を用いた燃料監視装置及びボイラ設備に用いるのに適している。
【図面の簡単な説明】
【０１０７】
【図１】本発明による実施例１に係る燃料監視装置の構成を簡略に示す概念図である。
【図２】パームステアリン油とＣ重油の赤外線吸収スペクトルを表した図である。
【図３】パームステアリン油の混合率と波数が１７４０ｃｍ-1の時の吸光度との関係を示す図である。
【図４】本発明による実施例２に係る燃料監視装置の構成を簡略に示す概念図である。
【図５】本発明による実施例３に係る燃料監視装置の構成を簡略に示す概念図である。
【図６】本発明による実施例４に係る燃料監視装置の構成を簡略に示す概念図である。
【図７】本発明による実施例５に係る燃料監視装置の構成を簡略に示す概念図である。
【図８】四塩化炭素の赤外線吸収スペクトルを示す図である。
【図９】本発明による実施例７に係る燃料監視装置の構成を簡略に示す概念図である。
【図１０】本発明による実施例８に係るボイラ設備の構成を簡略に示す概念図である。
【図１１】従来の測定の工程を示す図である。
【図１２】浮き式比重計の概略図である。
【図１３】パームステアリン油及びＣ重油の比重を表す図である。
【符号の説明】
【０１０８】
１０Ａ〜１０Ｆ  燃料監視装置
１１  混合油
１２  混合油抜出し通路
１３  混合油調整装置
１４  燃料混合比測定装置
１５  混合油抜出しポンプ（混合油供給手段）
１６  燃料配管
１７  液体セル
１８  検出器
１９  データ処理装置
２１  ヒータ
２２  有機溶剤
２３  有機溶剤供給部
２４  有機溶剤送給ポンプ
２５  有機溶剤送給ライン
２６−１、２６−２  混合油流量調整バルブ（混合油封入手段）
３０  ボイラ設備
３１  Ｃ重油タンク
３２  パームステアリン油タンク
３３  ボイラ
３４  Ｃ重油送給ライン
３５  パームステアリン油送給ライン
３６  ライン混合器
３７  混合油送給ライン
３８  混合油抜出しライン
Ｖ1、Ｖ2、Ｖ11、Ｖ12  流量制御バルブ
【図１】
2009198124.tif 000003
【図２】
2009198124.tif 000004
【図３】
2009198124.tif 000005
【図４】
2009198124.tif 000006
【図５】
2009198124.tif 000007
【図６】
2009198124.tif 000008
【図７】
2009198124.tif 000009
【図８】
2009198124.tif 000010
【図９】
2009198124.tif 000011
【図１０】
2009198124.tif 000012
【図１１】
2009198124.tif 000013
【図１２】
2009198124.tif 000014
【図１３】
2009198124.tif 000015